(57)【特許請求の範囲】
【請求項１】
木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられ、又、前記棒状固定部材は断面正方形状に形成されると共に、該棒状固定部材を遊挿状態に収容させるための前記収容孔が断面正方形状に形成され、且つ該収容孔の、前記第２部材の端面に近い内側面が、前記挿通孔と直交する如く形成されており、又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とする建築物における木製部材接合装置。
【請求項２】
木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられ、又、前記第１部材と前記第２部材との接合が、ほぞと溝とを嵌合させるほぞ接合構造を有しており、前記ネジ軸を挿通させる前記挿通孔及びこれに連通する前記挿入孔が、前記ほぞ、前記溝を避けて設けられており、又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とする建築物における木製部材接合装置。
【請求項３】
木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられ、又、前記第２部材に設ける前記収容孔は貫通孔として形成されると共に、前記棒状固定部材の全長は、該収容孔の長さよりも短く形成され、該棒状固定部材が該収容孔に収容された状態で該収容孔の両端部分に凹所が形成される如くなされ、該凹所に、栓体の内側部分が挿入状態に固定されると共に該栓体の外側部分が収容孔の端部から突出状態にされるものであり、又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とする建築物における木製部材接合装置。
【請求項４】
前記ネジ軸部材は、前記ネジ軸の基端にネジ頭が設けられていることを特徴とする請求項１〜３のいずれかに記載の建築物における木製部材接合装置。
【請求項５】
前記ネジ軸部材は、前記ネジ軸の基端部分にネジ軸部が設けられると共に、該ネジ軸部にナットが螺合されることを特徴とする請求項１〜３のいずれかに記載の建築物における木製部材接合装置。
【発明の詳細な説明】
【技術分野】
【０００１】
本発明は、建築物における木製の部材相互を強固に然も見栄え良く接合可能な建築物における木製部材接合装置に関するものである。
【背景技術】
【０００２】
木造建築物において、梁、胴差し、桁等としての横架材相互を接合したり、これらの横架材と柱とを接合するに際しては、例えば図３９〜４０や図４１〜４２に示すように、横架材ａ，ａ相互の接合部分や横架材ａと柱ｂとの接合部分を、羽子板ｃに引張りボルトｄを固定してなる羽子板ボルトｅを用いて補強していた。
【０００３】
この補強構造を、横架材ａ，ａ相互の接合部分を補強する場合について説明すれば、図４０に示すように、羽子板ボルトｅの前記引張りボルトｄを、一方の横架材ａ１に設けた貫通孔ｆに挿通させると共に、前記羽子板ｃを他方の横架材ａ２の端部分ｇの側面ｈに当接させ且つ該羽子板ｃに設けられているボルト固定孔ｊにボルトｋを挿通させてナットｍで締め付け、釘挿通孔ｕに釘打ちｖすることにより、該羽子板ｃを横架材ａ２に固定し、又、前記引張りボルトｄ端部ｎに、座金ｐを介してナットｑを螺合し締め付けることにより行われていた。このことは、図４２に示すように、横架材ａと柱ｂとの接合部分を補強する場合も同様であった。
【０００４】
しかしながら、かかる羽子板ボルトｅを用いる補強構造によるときは次のような問題があった。即ち、
【０００５】
(1)近年の木造建築様式においては、横架材相互の接合部分や横架材と柱との接合部分を剥き出し状態にして木の風合いを強く印象付けんとして吹き抜き構造等、該接合部分を目視可能とする構造を取り入れることが流行っている。
このような構造にあっては、横架材相互等の接合部分が剥き出し状態になることから、前記羽子板ボルトが目立って接合部分の外観が不自然であった。
【０００６】
(2)又、羽子板ボルトｅを横架材ａに固定するに際しては、３〜４ｍｍ程度の薄肉の羽子板ｃに設けられた前記ボルト固定孔ｊにボルトｋ等を挿通して締め付ける手段を採用していたため、大きな地震時には、例えば図４３に示すように、該ボルト固定孔ｊの周縁ｒと該ボルトｋ等との点状接触部分ｓで応力が集中して該周縁ｒに亀裂が発生する恐れがあった。このようにして亀裂が発生すると、これが徐々に拡大して該横架材ａに対する羽子板ｃの固定が不安定化し易く、羽子板ボルトｅによる補強効果が有効に発揮されなくなる問題が生じた。
【０００７】
(3)更に、図３９、図４１に示すように、羽子板ｃや引張りボルトｄが横架材ａの表面で突出状態になることから、羽子板ボルトｅが固定されている部分に他の部材を取り付ける際、該部材に、羽子板や引張りボルトを逃がすための欠切部を設けなければならない面倒さもあった。
【特許文献１】特開２００２−２１２００号公報（３−４頁、図３、図５）
【発明の開示】
【発明が解決しようとする課題】
【０００８】
本発明は、前記従来の問題点に鑑みて開発されたものであり、建築物における木製部材相互の接合を見栄え良く行うことができると共に、木製部材相互の接合を確実且つ安定的に行い得る建築物における木製部材接合装置の提供を課題とするものである。又、伝統的な込み栓接合方式の接合構造に似せた外観を容易に形成できる建築物における木製部材接合装置の提供を課題とするものである。
【課題を解決するための手段】
【０００９】
前記課題を解決するため、本発明は以下の手段を採用する。
即ち本発明に係る建築物における木製部材接合装置（以下接合装置という）は、木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられている。又、前記棒状固定部材は断面正方形状に形成されると共に、該棒状固定部材を遊挿状態に収容させるための前記収容孔が断面正方形状に形成され、且つ該収容孔の、前記第２部材の端面に近い内側面が、前記挿通孔と直交する如く形成されている。又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とするものである。
【００１０】
本発明に係る接合装置の他の態様は、木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられている。又、前記第１部材と前記第２部材との接合が、ほぞと溝とを嵌合させるほぞ接合構造を有しており、前記ネジ軸を挿通させる前記挿通孔及びこれに連通する前記挿入孔が、前記ほぞ、前記溝を避けて設けられている。又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とするものである。
【００１１】
本発明に係る接合装置のその他の態様は、木製の第１部材と、該第１部材に所要角度で接合される木製の第２部材とを、ネジ軸部材と棒状固定部材とを用いて接合する建築物における木製部材接合装置であって、前記第１部材には、前記ネジ軸部材を挿通させる挿通孔が設けられる一方、前記第２部材には、該挿通孔と連通し得る盲の挿入孔が設けられると共に、前記棒状固定部材を遊挿状態に収容させる収容孔が、該挿入孔を横切る如く、少なくとも一端が開放状態で設けられている。又、前記第２部材に設ける前記収容孔は貫通孔として形成されると共に、前記棒状固定部材の全長は、該収容孔の長さよりも短く形成され、該棒状固定部材が該収容孔に収容された状態で該収容孔の両端部分に凹所が形成される如くなされ、該凹所に、栓体の内側部分が挿入状態に固定されると共に該栓体の外側部分が収容孔の端部から突出状態にされるものである。又前記ネジ軸部材は、前記挿通孔を挿通して前記挿入孔に挿入せしめられるネジ軸を具えると共に、前記棒状固定部材は、その長さ方向の略中央部分に、前記ネジ軸の先側のネジ軸部を螺合させる１個のネジ孔が設けられていることを特徴とするものである。
前記各接合装置において、前記ネジ軸部材は、前記ネジ軸の基端にネジ頭が設けられたものとして構成できる他、前記ネジ軸の基端部分にネジ軸部が設けられると共に、該ネジ軸部にナットが螺合されたものとしても構成できる。
【発明の効果】
【００１２】
本発明は以下の如き優れた効果を奏する。
(1)本発明に係る接合装置は、木製の第１部材と木製の第２部材とを、棒状固定部材とネジ軸部材とを用いて接合することとしている。そして該棒状固定部材を、該第２部材に設けた収容孔に収容させることとし、前記ネジ軸部材のネジ軸を、第１部材に設けた挿通孔とこれに連通する如く第２部材に設けられた挿入孔に挿入させると共に、該ネジ軸の先側のネジ軸部を前記棒状固定部材に設けたネジ孔に螺合させ締め付ける構成を採用している。
従って本発明によるときは、所要太さのネジ軸部材と、そのネジ軸部を螺合させ得る棒状固定部材を選択することによって、第１部材と第２部材とを強固確実に接合できるため、大きな地震荷重に対しても、従来の羽子板ボルトを用いる場合とは異なり信頼性の高い接合を達成できる。加えて、該ネジ軸部材と棒状固定部材とを第１部材、第２部材に殆ど内蔵状態にして両部材を接合できるため、羽子板ボルトを用いて部材相互を接合する従来の接合装置におけるような、接合金具が露出する見苦しさを解決でき、部材相互を見栄えよく接合できることになる。
【００１３】
(2)又、棒状固定部材は、第２部材に設けられた収容孔の長さ方向に延長するものであり、該棒状固定部材の長さ方向の略中央部分に前記ネジ孔の１個を設ける構成を採用する。従って本発明によるときは、従来のように羽子板ボルトを部材の対向側に配置する必要がなく、１本のネジ軸部材の締め付けによって、前記ネジ孔の左右両側部分で、第２部材を第１部材に向けて左右バランスよく引き寄せることが可能となり、第１部材と第２部材とを安定的に強固に接合できることになる。
【００１４】
(3)特に、収容孔を貫通孔として形成し、該収容孔に棒状固定部材を収容した状態で、収容孔の両端部分に凹所が形成される如くなし、該凹所に栓体の内側部分を固定し、該栓体の外側部分を第２部材の側面から突出状態にするときは、前記のように、棒状固定部材やネジ軸部材が第１部材、第２部材に殆ど内蔵状態とされることと相まって、部材相互の接合部分を、伝統的な込み栓接合の建築様式風に見せることができて好ましい。
【００１５】
(4)収容孔を貫通孔として構成する場合は、該収容孔に棒状固定部材を収容する際に、棒状固定部材の収容状態を収容孔の両端開口から確認でき、開口端を通して棒状固定部材を指等で押すことができるために、棒状固定部材の所要の収容作業を、より容易に行うことができる。
【００１６】
(5)本発明に係る接合装置において、第１部材と第２部材との接合が、ほぞ接合構造を有する場合において、前記ネジ軸を挿通させる前記挿通孔及びこれに連通する挿入孔を、ほぞ接合箇所を避けて形成するときは、ほぞ接合構造部を何ら損傷することなく、ネジ軸部材と棒状固定部材を用いて第１部材と第２部材とを接合できることになる。このような２種類の接合が得られる結果、第１部材と第２部材との接合をより一層強固且つ安定的に行うことができる。
【００１７】
(6)前記棒状固定部材を、平面の押圧面を有する如く、断面正方形状に形成する場合は、棒状固定部材によって、前記収容孔の前記被押圧面を広い面積で押圧できるため、第２部材を第１部材に向けてより安定的に引き寄せることができる。
【実施例１】
【００１８】
以下、本発明の実施例を、天井板が張られておらず部材相互の接合部分が剥き出し状態にある木造の吹き抜き構造に応用された場合を例にとって説明する。
【００１９】
図１〜３において本発明に係る接合装置１は、建築物の梁や胴差し、桁等としての木製の第１部材（例えば水平梁）２と、該第１部材２に対して斜め上方に傾斜し且つ落とし蟻継ぎされる第２部材３とを、ネジ軸部材５と棒状固定部材６とを用いて接合するものである。なお該第１部材２、第２部材３は、木造建築物において一般に用いられている杉や檜、米松、集成材等の木材を用いて構成されている。
【００２０】
前記第１部材２には、図２〜５に示すように、前記第２部材３の傾斜方向の下端部分７を嵌め入れて該下端部分７の底面９を下方から支持する受け面１０が設けられた、上端と前面が開放した凹部１１が設けられている。そして該凹部１１の、平滑な立壁面１２の上側部分（略上半分）の中央に位置させて、上端が開放した上下方向の蟻溝としての溝１３が設けられており、該溝１３の底面１５の稍下側に位置させて、前記ネジ軸部材５を挿通させる挿通孔１６が該第１部材２をその厚さ方向に貫通して設けられている。なお、該第１部材２の前記挿通孔１６の外端の周囲部分は、図１〜３、図５に示すように、後述するネジ頭３７を納めるための円形凹部１７として形成されている。
【００２１】
又前記第２部材３は、図１〜３に示すように、その傾斜方向の下端面１９にほぞ２０が突設されると共に、該蟻ほぞとしてのほぞ２０の上端を被うように、前記第１部材２の上面２１に被る庇片２２が突設されている。そして、該ほぞ２０が前記溝１３に嵌入された状態で、該第２部材３の前記下端部分７の前記底面９が図２に示すように前記凹部１１の受け面１０で下方から支持されると共に、前記庇片２２の下面２５が、前記第１部材２の上面２１に当接する。
【００２２】
又、該第２部材３の前記下端面１９には、図２〜３、図５に示すように、前記ほぞ２０が前記溝１３に嵌合した状態において前記挿通孔１６と連通し得る盲の挿入孔２６が、該ほぞ２０の直下に設けられている。そして、該挿入孔２６の先端側において、図３に示すような断面正方形状の角棒状をなす前記棒状固定部材６を遊挿させるための断面正方形状の収容孔２７が、前記ほぞ２０に近い被押圧面２９を前記挿入孔２６と直角に交差させて貫設されており、該挿入孔２６の該収容孔２７からの突出部分が逃がし孔部３０とされている。該収容孔２７は、例えば、第２部材３の前記下端面１９から１２０〜１５０ｍｍ程度離れた位置に設ける。そして該逃がし孔部３０の長さは、ネジ軸部材５の先細の先端部分３１（本実施例においては、５ｍｍ程度の長さの部分）を逃がすことができるように、通常、１０〜１５ｍｍに設定され、時には余裕を見て２０ｍｍ程度に設定されることもある。
【００２３】
前記棒状固定部材６は、例えば、鋼製又はステンレス製等の金属製であり、図６に示すように、前記被押圧面２９と当接する押圧面２８の長さ方向の略中央部分に、前記ネジ軸部材５の先側のネジ軸部３２を螺合状態に貫通させるネジ孔３３が設けられており、該ネジ軸部３２が挿入される側には、端部（前記押圧面）に向けて径が拡大するテーパ状の案内孔３５が連設されている。そして、前記ネジ軸部３２が前記ネジ孔３３に螺合され締め付けられた状態で、前記ネジ軸部材５の先細の先端部分３１が、前記逃がし孔部３０に存する如くなされている。本実施例においては、前記ネジ軸部３２の先側の部分も逃がし孔部３０に位置するようになされている。
【００２４】
本実施例においては、前記第２部材３の厚さが１１２ｍｍであり、従って前記収容孔２７の長さは１１２ｍｍである。これに対して前記棒状固定部材６の長さは１００ｍｍに設定されている。又、前記ネジ孔３３の長さは１６ｍｍ程度に設定されている。又、前記収容孔２７の一辺の長さは例えば２１ｍｍに設定され、前記棒状固定部材６の一辺の長さ例えば２０ｍｍに設定されており、従って、棒状固定部材６を収容孔２７に遊挿させることができる。
【００２５】
又前記ネジ軸部材５は、図５に示すように、例えば３０ｃｍ程度の長さを有し且つ直径が１２ｍｍ程度のネジ軸３６の基端にネジ頭３７が設けられると共に、該ネジ軸３６の先端側はネジ軸部３２として形成されると共に、その先端部分３１は先細に形成されている。
【００２６】
然して、３かる構成の接合装置１を用いて前記第１部材２と前記第２部材３とを接合するには、前記ほぞ２０の下端３９（図３）を前記溝１３の上端４０（図３）に位置合わせして該第２部材３を落とし込み、図５に示すように、該第２部材３の前記下端部分７の底面９を前記凹部１１の受け面１０に当接させると共に、前記庇片２２の下面２５を前記第１部材２の上面２１に当接状態とする。その後、図７に示すように、前記収容孔２７内に、前記棒状固定部材６を、前記案内孔３５を前記被押圧面２９側に向けて挿入させる。この挿入は、前記ネジ孔３３が前記挿入孔２６に略連通状態となるように行う。前記収容孔２７及び前記棒状固定部材６が断面正方形状を呈するため、棒状固定部材６が収容孔２７内で軸線回りに回転しない。なお本実施例においては、収容孔２７の両端が開放していることから、開放端４１，４１を通して棒状固定部材６を指等で押すことによって、収容孔２７の両端における空間の長さを略等しく設定すれば、前記ネジ孔３３が収容孔２７の長さ方向の略中央に位置することになるので、該棒状固定部材６を収容孔２７内に配置する作業が容易となる。
【００２７】
その後、図２に示すように、前記ネジ軸部材５のネジ軸部３２を、前記挿通孔１６及び前記挿入孔２６に、前記円形凹部１７側から座金４２を介して挿入し、そのネジ軸部３２を前記ネジ孔３３に螺合させる。
【００２８】
この螺合の際、該ネジ軸部材５の先端部分３１が先細に形成されると共に、前記ネジ孔３３の端部にテーパ状の案内孔３５が連設され、しかも収容孔２７に棒状固定部材６が遊挿されていることから、挿入されるネジ軸部３２の軸線が前記ネジ孔３３の軸線と正確に合致していない場合であっても、図８に示すように、ネジ軸部の先細の先端部分３１が前記案内孔３５に入り込みさえすれば、ネジ軸部材５の押し込みに伴い、前記棒状固定部材６が前記収容孔２７の長さ方向で移動して、前記ネジ軸部３２が前記ネジ孔３３に正しく螺合することになる。この状態でネジ軸部材５を螺合方向に更に回転させると、図９に示すように、前記先細の先端部分３１が前記ネジ孔３３の端部から突出し、前記逃がし孔部３０に納められる。この状態でネジ軸部材５を締め付けると、前記棒状固定部材６が前記第１部材２側に引き寄せられ、これにより該棒状固定部材６の押圧面２８の全体が前記収容孔２７の被押圧面２９を面接触状態で押圧することになり、図２に示すように、第１部材２と第２部材３を強固に接合できる。ネジ軸部材５の先細の先端部分３１を、逃がし孔部３０に位置させることができるため、ネジ孔３３の全長に亘ってネジ軸部３２を有効にねじ込ませることができる。このように接合された状態で、図２に示すように、前記ネジ軸部材のネジ頭３７が前記円形孔部１７に納まる。
【００２９】
このようにして棒状固定部材６の押圧面２８が、前記ネジ軸部材５の軸線と直交する前記被押圧面２９を面接触状態で押圧することから、落とし蟻継ぎされた第１部材２と第２部材３との接合がネジ軸部材５の螺締によって一層強固なものとなる。
【００３０】
本実施例においては、第１部材２と第２部材３との接合をほぞ接合構造と、ネジ軸部材５と棒状固定部材６とによる接合構造の２種類によって行うため、第１部材２と第２部材３との接合をより確実に、然もより安定的に行うことができる。
【００３１】
そしてこのように接合された状態で、前記棒状固定部材６や前記ネジ軸部材５が第１部材２や第２部材３に内蔵されているため、第１部材２と第２部材３との接合部分の外観には、棒状固定部材６及びネジ軸部材５が露出しないことから、接合部分の見栄えを向上させることができる。
【００３２】
そしてこのように接合された状態で、図９に示すように、前記収容孔２７の両端側には６ｍｍ程度の深さを有する凹所４５，４５が形成される。そこで本実施例においては、図１０に示すように、該凹所４５，４５に栓体４６を圧入させると共にその先側部分４７を、前記第１部材２の左右の側面４９，４９から例えば９ｍｍ程度突出させている。
【００３３】
このように栓体４６を左右の側面４９から稍突出させることにより、第１部材２と第２部材３との接合部分を見上げたときに、図１１に示すように、左右の栓体４６，４６が目に付くため、あたかも、込み栓を打ち込んで両部材を接合してなる木造軸組みの伝統技法を採用しているかの如き外観を与えることができ、接合部分の見栄えを一層向上させることができる。
【００３４】
図１２は、水平状態に延長する横架材相互の接合に本発明を応用した場合を示すものであり、一方の横架材を第１部材２とし、他方の横架材を第２部材３としている。接合装置１の構成は前記と同様であるため、同一部位には前記と同一の符号を付している。なお図１２においては、ネジ軸部材５のネジ頭３７及び座金４２を、前記のように円形凹部１７等の凹部に納めないで露出状態としている。
【００３５】
又図１３〜１４は、木製の柱と木製の横架材との接合に本件発明を応用した場合を示すものであり、柱を第１部材２とし、横架材を第２部材３として構成している。接合装置１の構成は前記と同様であるため、同一部位には前記と同一の符号を付している。
【実施例２】
【００３６】
図１５〜１７は、本発明に係る接合装置１のその他の実施例を示すものであり、梁や胴差し、桁等の横架材としての木製の第１部材２と、同じく横架材としての木製の第２部材３とを接合するもので、該第１部材２の下面５０には、図１７、図２０に示すように、例えば矩形状の凹部５１が設けられている。又、図１５〜１７に示すように、両端部分がネジ軸部５２，５３とされたネジ軸部材５を挿通させる挿通孔１６の一方の端部５５を前記第１部材２の側面５６側で開口させると共に、他方の端部５７を、前記凹部５１の内側面５９で開口させている。又前記第２部材３には、前記と同様にして、挿入孔２６と収容孔２７が設けられている。そして、前記ネジ軸部材５を、前記挿入孔２６に前記第２部材３の端面６３（図１５）側から挿入させると共に、一方のネジ軸部５２を前記収容孔２７に収容された前記棒状固定部材６の、前記と同様構成のネジ孔３３に螺合させる。又、第２部材３の端面６３から突出状態にある軸部分６１を、図１７に示すように、横架材としての第１部材２に設けられた前記挿通孔１６に挿通させると共に、他方のネジ軸部５３を前記凹部５１内で突出させ、その後、前記他方のネジ軸部５３にナット６２を螺合し締め付けることにより、第１部材２と第２部材３とを接合できる。なお図１５においては、前記第２部材３の端面６３にほぞ６５が突設されると共に、前記第１部材２の前記側面５６には、該ほぞ６５を横方向で嵌め入れることのできる拡大した溝６６が設けられており、該ほぞ６５を該蟻溝としての溝６６に嵌め入れた状態で、図１６、図１８に示すように、該ほぞ６５の両側に係合空間６７，６９が形成されるようになされている。そして、このように嵌め入れた状態で、図１９に示すように、両係合空間６７，６９に抜け止め片７０，７１を嵌着させることにより該ほぞ６５が溝６６から抜け出さないようになされている。なお、前記凹部５１は第２部材３の上面７２に設けられることもある。
【００３７】
又図２１〜２２は、本発明に係る接合装置１のその他の実施例を示すものであり、梁や胴差し、桁等の横架材としての木製の第１部材２と、木製の柱としての第２部材３とを接合するもので、該第１部材２の上面７３に矩形状の凹部７５が設けられている。又、図２３〜２４、図２５〜２６に示すように、両端部分がネジ軸部５２，５３とされたネジ軸部材５を挿通させる挿通孔１６の一方の端部５５を前記第１部材２の端面７６（本実施例においては、後述のほぞ７９の端面）で開口させると共に、他方の端部５７を、前記凹部７５の内側面７７で開口させている。又前記第２部材３には、図２１、図２４、図２６に示すように、前記と同様にして、挿入孔２６と収容孔（本実施例においては盲孔）２７が設けられている。そして図２３〜２４、図２５〜２６に示すように、前記ネジ軸部材５を、前記挿入孔２６に第２部材３の側面７４側から挿入させると共に、一方のネジ軸部５２を、前記収容孔２７に収容された前記棒状固定部材６の、前記と同様構成のネジ孔３３に螺合させる。又、第２部材３の側面７４から突出状態にある軸部分７８を、前記第１部材２に設けられた前記挿通孔１６に挿通させると共に、他方のネジ軸部５３を前記凹部７５内で突出させ、その後、前記他方のネジ軸部５３にナット６２を螺合し締め付けることにより、第１部材２と第２部材３とを接合できる。なお図２１においては、前記第１部材２にほぞ７９が突設されると共に、前記第２部材３の側面７６には、該ほぞ７９を横方向で嵌め入れることのできる溝８１が設けられている。又本実施例においては、柱としての第２部材３に、上下段違いで且つ直角に交わるように、二つの第１部材２，２が接合される。なお、前記凹部７５は第２部材３の下面８２（図２１）に設けられることもある。
【実施例３】
【００３８】
本発明は、前記実施例で示したものに限定されるものでは決してなく、「特許請求の範囲」の記載内で種々の設計変更が可能であることはいうまでもない。その一例を挙げれば次のようである。
【００３９】
(1)前記収容孔２７を両端開放状態に構成する場合、図２７に示すように、遊挿された棒状固定部材６の両端８３，８３が収容孔２７の両端８５，８５に合致するように棒状固定部材６の寸法を設定することがある他、図２８に示すように、該棒状固定部材６の両端部分８６，８６が収容孔２７の両端８５，８５から若干突出するように構成されることもある。このように突出させる場合、必要に応じて、突出部分に着色を施すこともある。
【００４０】
(2)棒状固定部材６は、全体が中実の棒状に構成されることの他、図２９に示すように角筒状等の筒状に構成されることもある。或いは図３０に示すように、ネジ軸部材５の螺合の確実化と棒状固定部材の軽量化を図るために、ネジ軸部３２がねじ込まれる中央部分８７だけ中実に形成され、その両側部分８９，８９は角筒状等の中空状に構成されることもある。
更に棒状固定部材６は、前記した断面正方形状に構成されることの他、断面多角形状や断面円形状、断面半丸状等に構成されることもある。例えば図３１に示すように、断面半丸状等に形成する場合も、収容孔２７は角形孔でよい。
【００４１】
(3)本発明に係る接合装置１は、基本的には従来のほぞ接合構造を前提とし、このほぞ接合を補強する役割を果たすが、第１部材２と第２部材３との接合強度に問題がない限り、両者を単純な面接触状態で接合することもある。
【００４２】
(4)前記収容孔２７に棒状固定部材６を挿入した状態で該収容孔２７の両端部分に凹所が形成される場合、該凹所に栓体を装着せず、凹所のままにしておくこともある。
【００４３】
(5)棒状固定部材６を収容させる前記収容孔２７は、前記のような貫通孔として形成されることのほか、図２４、図２６に示すような盲孔として形成されることもある。この場合は、開口端のみに栓体を装着するか、栓体を装着しない。
【００４４】
(6)収容孔２７に収容される棒状固定部材６の材質は、ネジ軸部材５との協働により第１部材２と第２部材３とを所要に接合できる限り、金属製には特定されず、エンジニアリングプラスチック等であってもよい。
【００４５】
(7)挿通孔１６とこれに連通し得る挿入孔２６は斜め方向に延長する如く設けられることもある。又、棒状固定部材６を収容させる収容孔２７は上下方向に設けられることもある。この場合、収容孔２７の下端は閉じておくのがよい。
【００４６】
(8)本発明は、図１７、図２４、図２６の他、図３２に示すように、両端部分がネジ軸部５２，５３とされたネジ軸部材５の該ネジ軸部５３にナット６２を螺合し締め付けた態様を含む。
【００４７】
(9)収容孔２７に棒状固定部材６を遊挿するとは、収容孔内に挿入される前記棒状固定部材６の軸線が前記ネジ孔３３の軸線と正確に合致していない場合において、ネジ軸部材５の押し込みに伴って前記棒状固定部材６が収容孔２７の長さ方向で容易に移動できる挿入状態を指すものであり、遊びが大きくなくてもよい。
【００４８】
(10) 本発明に係る接合装置において、第１部材２に所要角度で接合される第２部材３は、図３３に示すように、平面視で９０度以外の角度で接合されるものを含む。
【００４９】
(11) 本発明に係る接合装置は、例えば図３４に示すように、前記逃がし孔部３０が設けられない場合がある。
【００５０】
(12) 本発明に係る接合装置は、例えば図３５に示すように、ネジ軸部材５の先端部分が先細に形成されず、且つ棒状固定部材６に設けられたネジ孔３３が、前記テーパ状の案内孔３５が連設されないものとして構成されることもある。
又、例えば図３６に示すように、ネジ軸部材５の先端部分が先細に形成されるが、前記棒状固定部材６に設けられたネジ孔３３に前記テーパ状の案内孔３５が連設されないものとして構成されることもある。
或いは、例えば３７に示すように、棒状固定部材６のネジ孔３３にテーパ状の案内孔３５が連設されるが、ネジ軸部材５の先端部分が先細に形成されないこともある。
【００５１】
(13) 本発明に係る接合装置において、ネジ軸部材５の先端部分が先細に形成されるとは、例えば図３４に示すように先端部分が短寸に形成される場合も含む。
【００５２】
(14) 本発明に係る接合装置において、前記棒状固定部材６に設けるネジ孔３３は図３８に示すように、貫通しない盲孔として形成されることもある。
【図面の簡単な説明】
【００５３】
【図１】本発明に係る接合装置の使用状態を示す斜視図である。
【図２】その断面図である。
【図３】その分解斜視図である。
【図４】第１部材を示す斜視図である。
【図５】第１部材と第２部材とがほぞ接合されることによって得られた連通状態の挿通孔と挿入孔を、ネジ軸部材と共に示す断面図である。
【図６】棒状固定部材と、ネジ軸部材の先端部分を示す斜視図である。
【図７】第２部材の収容孔に棒状固定部材を収容した状態を示す断面図である。
【図８】収容された棒状固定部材のネジ孔にネジ軸部材のネジ軸部を螺合させる工程を説明する断面図である。
【図９】ネジ軸部材のネジ軸部を棒状固定部材のネジ孔に螺合しネジ軸部材を締め付けた状態を示す断面図である。
【図１０】棒状固定部材が収容された収容孔の両端側に形成された凹所に栓体を突出状態に圧入した状態を示す断面図である。
【図１１】第１部材と第２部材との接合状態を示す斜視図である。
【図１２】本発明に係る接合装置のその他の態様を示す斜視図である。
【図１３】柱としての第１部材と横架材としての第２部材とを接合する本発明の接合装置を示す斜視図である。
【図１４】その断面図である。
【図１５】横架材としての第１部材と第２部材とを接合する本発明に係る接合装置のその他の態様を示す分解斜視図である。
【図１６】第１部材と第２部材とを接合した状態を示す正面図である。
【図１７】その断面図である。
【図１８】その斜視図を、両者の接合強度を高める抜け止め片と共に示す斜視図である。
【図１９】その抜け止め片を嵌着することにより、第１部材と第２部材の接合強度を高めた状態を示す斜視図である。
【図２０】その接合装置を用いて接合された第１部材と第２部材の接合状態を示す斜視図である。
【図２１】横架材としての第１部材と柱としての第２部材とを接合する本発明に係る接合装置の他の態様を示す分解斜視図である。
【図２２】その第１部材と第２部材とを接合した状態を示す斜視図である。
【図２３】その断面図である。
【図２４】その断面図である。
【図２５】その断面図である。
【図２６】その断面図である。
【図２７】本発明に係る接合装置の他の態様を示す断面図である。
【図２８】本発明に係る接合装置のその他の態様を示す断面図である。
【図２９】本発明に係る接合装置のその他の態様を示す断面図である。
【図３０】本発明に係る接合装置のその他の態様を示す断面図である。
【図３１】棒状固定部材のその他の態様を、収容孔に収容した状態で示す断面図である。
【図３２】本発明に係る接合装置のその他の態様を示す断面図である。
【図３３】本発明に係る接合装置のその他の態様を示す断面図である。
【図３４】本発明に係る接合装置のその他の態様を示す断面図である。
【図３５】本発明に係る接合装置のその他の態様を示す断面図である。
【図３６】本発明に係る接合装置のその他の態様を示す断面図である。
【図３７】本発明に係る接合装置のその他の態様を示す断面図である。
【図３８】本発明に係る接合装置のその他の態様を示す断面図である。
【図３９】羽子板ボルトを用いて横架材相互を接合してなる従来の接合装置を示す斜視図である。
【図４０】その断面図である。
【図４１】羽子板ボルトを用いて柱と横架材とを接合してなる従来の接合装置を示す斜視図である。
【図４２】その断面図である。
【図４３】羽子板ボルトを用いる従来の接合装置の問題点を説明する説明図である。
【符号の説明】
【００５４】
１  接合装置
２  第１部材
３  第２部材
５  ネジ軸部材
６  棒状固定部材
２６  挿入孔
２７  収容孔
３０  逃がし孔部
３１  先細の先端部分
３２  ネジ軸部
３３  ネジ孔
３５  案内孔
３６  ネジ軸
３７  ネジ頭
４５  凹所
４６  栓体
５１  凹部
５２  ネジ軸部
５３  ネジ軸部
６２  ナット
【図１】
0003723812.tif 000002
【図２】
0003723812.tif 000003
【図３】
0003723812.tif 000004
【図４】
0003723812.tif 000005
【図５】
0003723812.tif 000006
【図６】
0003723812.tif 000007
【図７】
0003723812.tif 000008
【図８】
0003723812.tif 000009
【図９】
0003723812.tif 000010
【図１０】
0003723812.tif 000011
【図１１】
0003723812.tif 000012
【図１２】
0003723812.tif 000013
【図１３】
0003723812.tif 000014
【図１４】
0003723812.tif 000015
【図１５】
0003723812.tif 000016
【図１６】
0003723812.tif 000017
【図１７】
0003723812.tif 000018
【図１８】
0003723812.tif 000019
【図１９】
0003723812.tif 000020
【図２０】
0003723812.tif 000021
【図２１】
0003723812.tif 000022
【図２２】
0003723812.tif 000023
【図２３】
0003723812.tif 000024
【図２４】
0003723812.tif 000025
【図２５】
0003723812.tif 000026
【図２６】
0003723812.tif 000027
【図２７】
0003723812.tif 000028
【図２８】
0003723812.tif 000029
【図２９】
0003723812.tif 000030
【図３０】
0003723812.tif 000031
【図３１】
0003723812.tif 000032
【図３２】
0003723812.tif 000033
【図３３】
0003723812.tif 000034
【図３４】
0003723812.tif 000035
【図３５】
0003723812.tif 000036
【図３６】
0003723812.tif 000037
【図３７】
0003723812.tif 000038
【図３８】
0003723812.tif 000039
【図３９】
0003723812.tif 000040
【図４０】
0003723812.tif 000041
【図４１】
0003723812.tif 000042
【図４２】
0003723812.tif 000043
【図４３】
0003723812.tif 000044